(57)【要約】【課題】保管時、積載時、配送時等に於いて、操作部材が邪魔にならないこと。【解決手段】左右の垂直固定部材の前壁を基準として、該前壁の外側に開閉自在に配設された開き戸と、固定部材の前壁に突設されかつ開き戸に内装の錠箱の反転ラッチと係脱するラッチ用受け具と、開き戸の自由端部に内装されかつ支軸を介して操作部が前後方向に移動する操作片と、この操作片に可動軸を介して該操作片に共働するように設けられかつ錠箱の反転ラッチ用のロッキングピースのロック状態を解除する作動腕とから成り、閉戸時ラッチ用受け具に係入動作した反転ラッチはロッキングピースでロックされ、一方操作片をプル操作すると、ロッキングピースのロック状態は、該ロッキングピースに設けた受け腕と当接する作動腕の位置変位により解除されるラッチのロック状態解除装置。【選択図】図１
2010084504.tif 000002
【特許請求の範囲】
【請求項１】
左右の垂直固定部材の前壁を基準として、該前壁の外側に開閉自在に配設された開き戸と、前記一方の固定部材の前壁に突設され、かつ開き戸の自由端部或は自由端部寄りの部位に内装の錠箱の反転ラッチと係脱するラッチ用受け具と、前記開き戸の自由端部に支持部材を介して内装され、かつ支軸を介して操作部が前後方向に移動する操作片と、この操作片に可動軸を介して該操作片に共働するように設けられ、かつ前記錠箱の反転ラッチ用のロッキングピースのロック状態を解除する作動腕とから成り、前記開き戸の閉戸時、前記ラッチ用受け具に係入動作した前記反転ラッチは前記ロッキングピースでロックされ、一方、前記操作片をプル操作すると、前記ロッキングピースのロック状態は、該ロッキングピースに設けた受け腕と当接する前記作動腕の水平方向の位置変位により解除されることを特徴とするラッチのロック状態解除装置。
【請求項２】
請求項１に於いて、支持部材は、固着具を介して錠箱のフロントに取り付けられる支持箱と、この支持箱の上端部と下端部に所定間隔を有して固定された上下一対の第１支持片とから構成され、作動腕は前記上下一対の第１支持片のいずれか一方に支軸を介して取付けられ、また、前記操作片は前記上下の第１支持片の間に前記支軸を介して軸支され、いわゆるユニット化されていることを特徴とするラッチのロック状態解除装置。
【請求項３】
請求項１に於いて、ラッチ用受け具は、開き戸の内壁面に形成した挿入穴を介して、該開き戸の内部空間に入り込むことを特徴とするラッチのロック状態解除装置。
【請求項４】
請求項１に於いて、開き戸の内壁面には、一方の固定部材の垂直の対向内壁に設けた錠片受け具と係脱するロック棒を有する閂錠が設けられていることを特徴とするラッチのロック状態解除装置。
【請求項５】
左右で一組のたて枠と、これらのたて枠の前壁を基準として左右いずれかのたて枠の前壁の外側に開閉自在に取付けられる或いは取付けられた開き戸と、この開き戸の枢軸部とは反対側の開き戸の自由端部の内側に位置付けられる前記左右いずれかのたて枠の前壁に突設され、かつ開き戸の自由端部或は自由端部寄りの部位に内装の錠箱の反転ラッチと係脱するラッチ用受け具と、前記開き戸の自由端部に支持部材を介して内装され、かつ支軸を介して操作部が前後方向に移動する操作片と、この操作片に可動軸を介して該操作片に共働するように設けられ、かつ前記錠箱の反転ラッチ用のロッキングピースのロック状態を解除する作動腕とから成り、前記開き戸の閉戸時、前記ラッチ用受け具に係入動作した前記反転ラッチは前記ロッキングピースでロックされ、一方、前記操作片をプル操作すると、前記ロッキングピースのロック状態は、該ロッキングピースに設けた受け腕と当接する前記作動腕の水平方向の位置変位により解除されることを特徴とする建具。
【請求項６】
請求項５に於いて、左右で一組のたて枠には、横材が固定される或いは固定されていることを特徴とする建具。
【発明の詳細な説明】
【技術分野】
【０００１】
本発明は、建具としての開き戸用のラッチのロック状態を解除する装置及び建具に関する。
【背景技術】
【０００２】
特許文献１には、錠箱に反転ラッチを係止する上下一組のロッキングピースが内装され、該ロッキングピースは、扉の内壁面又は外壁面に突出するように設けたプッシュ・プル式の操作部材の操作力により、反転ラッチの係止を解く方向に回転する事項が記載・示唆されている。
【０００３】
また、特許文献２には反転ラッチが記載されている。さらに、特許文献３には、開き戸の内壁面に設けられたロック棒と、戸枠の縦枠に設けた錠片受け具とから成る閂錠が記載されている。これらの特許文献１乃至特許文献３には、保管・管理時、積載時、配送時、運搬時等に於いて、操作部材が邪魔にならないようにすることは記載されていない。また、操作部材を開き戸の自由端部に内装することも記載されていない。
【特許文献１】特開２００８−５０８６４の図１
【特許文献２】特開平８−１００５５９号公報
【特許文献３】特開２００７−９２３４４号公報
【発明の開示】
【発明が解決しようとする課題】
【０００４】
本発明の第１の目的は、保管・管理時、積載時、配送時、運搬時、施工後の使用時等に於いて、操作部材が邪魔にならないようにすることである。第２の目的は、操作性が良いことである。第３の目的は、開き戸の錠前に対して、簡単に取付けることができることである。第４の目的は、建物の入り口に容易に施工（取付）できる建具を提供することである。その他、意匠上、一般の需要者に、開き戸を見た目がスッキリするようなフラット感を与えることである。
【課題を解決するための手段】
【０００５】
本発明のラッチのロック状態解除装置は、人の出入り口を形成する左右の垂直固定部材１、２と、これらの垂直固定部材の前壁１ａ、２ａを基準として、該前壁の外側に開閉自在に配設された開き戸３と、前記一方の固定部材の前壁に突設され、かつ開き戸の自由端部３ａ或は自由端部寄りの部位に内装の錠箱１１の反転ラッチ１２と係脱するラッチ用受け具１４と、前記開き戸の自由端部に支持部材１６を介して内装され、かつ支軸２２を介して操作部１５ｂが前後方向に移動する操作片１５と、この操作片に可動軸２３を介して該操作片に共働するように設けられ、かつ前記錠箱の反転ラッチ用ロッキングピースのロック状態を解除する作動腕とから成り、前記開き戸の閉戸時、前記ラッチ用受け具に係入動作した前記反転ラッチは前記ロッキングピース１３でロックされ、一方、前記操作片１５をプル操作すると、前記ロッキングピース１３のロック状態は、該ロッキングピースに設けた受け腕１３ａと当接する前記作動腕１７の水平方向の位置変位により解除されることを特徴とすることを特徴とする。また、本発明は該ラッチのロック状態解除装置Ｘを主要部とする建具Ｙである。なお、本発明の建具Ｙは、横材を含むセットものであっても良い。
【発明の効果】
【０００６】
（ａ）操作片が開き戸の自由端部に支持部材を介して内装されているので、開き戸の外壁面から突出しない。したがって、突起物が存在しないので、保管・管理時、積載時、配送時、運搬時、施工後の使用時等に於いて、操作部材が邪魔にならない。
（ｂ）反転ラッチを用いると共に、操作片をプル操作するので、操作性が良い。
（ｃ）請求項２に記載の発明は、例えば施工現場での錠箱に対する取り付け作業の効率化を図ることができる。
（ｄ）請求項３に記載の発明は、ラッチ用受け具が外から全く見えない。
（ｅ）請求項４に記載の発明は、防犯と共に、バリヤーフリーの効果を得ることができる。
（ｆ）請求項５に記載の発明は、建物の入り口に容易に施工（取付）できる建具を提供することができる。
（ｇ）意匠上、一般の需要者に、開き戸を見た目がスッキリするようなフラット感を与えることができる。
【発明を実施するための最良の形態】
【０００７】
以下、図１乃至図１３に示す本発明を実施するための最良の形態（第１実施例）により説明する。
【０００８】
（１）発明の実施の環境
図１は第１実施例の発明の実施の環境を示す概略説明図で、ラッチした状態である。一方、図２は操作片１５を操作する者の手前側にプル操作して、後述する作動腕１７の位置変位により、錠箱１１内のロッキングピース１３のロック状態を解除したまま開き戸３を開いた状態である。図１及び図２に於いて、１，２は人の出入り口を形成する左右の垂直固定部材である。左右の垂直固定部材１，２は、例えば勝手口に設けられた開き戸用の壁、たて枠、縦材等である。ここでは図示の左側を一方の垂直固定部材１、右側を他方の垂直固定部材２とする。
【０００９】
これらの垂直固定部材１，２は、それぞれ垂直の前壁１ａ，２ａ、垂直の対向内壁１ｂ、２ｂ等を有している。そして、前壁１ａ，２ａを基準として、該前壁１ａ，２ａの外側に開き戸３が開閉自在に配設されている。図面右側が開き戸３の基端部であり、該基端部は不番の蝶番を介して前記他方の垂直固定部材２に連結されている。したがって、図面左側が開き戸３の自由端部３ａである。本実施例の開き戸３は、その自由端部３ａが一方の垂直固定部材１の垂直対向内壁１ｂの垂直平面上を越え、かつ垂直固定部材１の前壁１ａの前方へと延びる所定長の横幅を有している。実施例では、前記自由端部３ａは、図面左側で示すように、一方の垂直固定部材１の垂直対向内壁１ｂの反対側の垂直外壁１ｃを越えている。
【００１０】
必ずしも本発明の限定的要件ではないが、開き戸３は、その内壁面に所定間隔を有して固定された左右一対の扉ブラケット４と、この扉ブラケット４に水平状態に架設された棒状手摺り５と、この棒状手摺り５の一端部に案内され、かつ一方の垂直固定部材１の垂直対向内壁１ｂの横向き凹所に内設された錠片受け具６と係脱するロック棒７とから成る閂錠８が設けられており、前記ロック棒７は、図１の閉扉時に於いて、棒状手摺り５の外周から突出する摘み部７ａを操作すると、図１で示すように矢印方向（係入方向）に伸長して錠片受け具６と係合する。
【００１１】
さて、本発明の主要部（ラッチのロック状態解除装置）Ｘについて説明すると、図５で示すように、１１は錠箱で、この錠箱１１は開き戸３の自由端部或は自由端部寄りの部位（本実施例）に内装され、後述する反転ラッチ１２、反転ラッチ用のロッキングピース１３、これらの部材１２，１３をそれぞれ復帰方向へと付勢するバネ等を備えている。
【００１２】
また、１４は錠箱１１の反転ラッチ１２と係脱するラッチ用受け具で、このラッチ用受け具１４は、一方の固定部材１の前壁１ａに不番の固着具を介して固定的に突設されている。また、１５は開き戸３の自由端部３ａの中に支持部材１６を介して設けられ、かつ支軸を介して操作部が前後方向に移動する操作片で、本実施例では、発明の目的を達成するために、反転ラッチ１２と共に、プッシュ・プル式の操作部材を採用している。１７は操作片１５に可動軸を介して該操作片１５に共働するように設けられ、かつ錠箱１１のロッキングピース１３のロック状態を解除する作動腕で、この作動腕１７は付勢バネで復帰方向に付勢されていると共に、前記支持部材１６を構成する一つの第１支持片の案内開口を貫通して、その挿入先端部がロッキングピース１３を押圧できる位置まで延びている。
【００１３】
上記構成に於いて、開き戸３の閉戸時、ラッチ用受け具１４の突出部分は、例えば開き戸３の内壁に形成した挿入穴１８を介して、該開き戸３の内部空間に入り込むと共に、該ラッチ用受け具１４にラッチバネのバネ力により係入動作した反転ラッチ１２は、復帰バネのバネ力により初期位置へと戻ったロッキングピース１３でロックされ、一方、操作片１５をプル操作すると、前記ロッキングピース１３のロック状態は操作片１５と共働する作動腕１７の水平方向への位置変位により解除される。以下、本発明の特定要件について順次説明する。
【００１４】
（２）図３、図４…ラッチのロック状態解除装置の要部
図３及び図４は、共に平面視から操作片１５と作動腕１７とロッキングピース１３の関係を示す概略説明図である。図３は操作片１５をプル操作する前の状態で、この時、反転ラッチ１２は、ロッキングピース１３の先端部で係止される（図１２参照）。一方、図４は操作片１５をプル操作した時の状態で、この時、ロッキングピース１３は作動腕１７の位置変位により、作動腕１７の先端部で押圧されるので、係止解除の方向へと所定量回転する（図１３参照）。
【００１５】
そこで、図３及び図４を参照にして、本実施例の主な要部を説明する。１５は端面Ｌ型形状の操作片で、この操作片１５の垂直板状基端部１５ａは後述する支軸で軸支されている。操作片１５は、その垂直板状基端部１５ａに角度方向（例えば９０度方向）に連設する垂直板状操作部１５ｂを有し、垂直板状操作部１５ｂの内面が指でプル操作される操作面と成る。
【００１６】
２１は、図８で示すように、操作片用の上下一対の第１支持片で、この第１支持片２１は、例えば図９で示すように、操作片１５の上端面側と下端面側にそれぞれ固定的に配設される。２２は操作片１５の垂直板状基端部１５ａを枢支する垂直の支軸で、この支軸２２は、端面或は断面コ字形状の前記第１支持片２１及び操作片１５の垂直板状基端部１５ａにそれぞれ形成した支持穴に差し込まれる。
【００１７】
一方、２３は第１支持片２１の案内長孔及び作動腕１７の基端部の貫通孔を貫通して操作片１５の中央部（垂直板状基端部と垂直板状操作部の交わる部位）の取付け穴に差込まれた垂直の可動軸で、この可動軸２３は、図４で示すように、操作する者が操作片１５の垂直板状操作部１５ｂの操作面に指を掛け、矢印Ａ方向にプル操作すると、操作片１５が支軸２２を支点に反時計方向へと回転するので、第１支持片２１の案内長孔に案内されながら錠箱１１側に水平移動する。
【００１８】
従って、可動軸２３を介して操作片１５の上端部側（本実施例）或は下端部側に配設された長尺状の作動腕１７は、プッシュ・プル式の操作片１５と共働しながら、かつ作動片用の付勢バネ２４のバネ力に抗してロッキングピース１３の方向へ水平移動する。付言すると、支持部材は、例えば図５で示すように、開き戸３の自由端部３ａに直接又は間接的（本実施例）に固定された上下の第１支持片２１、２１を有し、長尺状の作動腕１７は、これら上下の第１支持片の内、一方の第１支持片２１に形成した案内長孔及び該作動腕１７の基端部を貫通すると共に、操作片１５の中央部に取付けられた垂直の可動軸２３を介して、かつ可動軸用の付勢バネ２４のバネ力に抗してロッキングピース１３の方向へ位置変位する。前記可動軸用付勢バネ２４は、例えば支軸２２に巻装され、その一端部２４ａは第１支持片２１の内壁面に圧接し、一方、他端部２４ｂは可動軸２３に圧接している。
【００１９】
（３）図５、図１２、図１３−錠箱側
図５、図１２、図１３を参照にして、錠箱１１と、該錠箱１１に設けられた主な部材を説明する。図５は、本発明の主要部Ｘの概略説明図、図１２は反転ラッチ１２がロッキングピース１３にロックされている仮施錠状態、図１３は作動腕の水平方向への位置変位により、ロッキングピース１３のロックが解かれた状態である。さて、反転ラッチ１２、ロッキングピース１３等の錠箱側の構成部材は、公知乃至周知事項なので、ここでは、図１２を参照にして簡単に説明する。錠箱１１の作動腕用の開口２５を有するフロント２６の内側には、ラッチ枠２７が固定されている。図１２を基準にすると、ラッチ枠２７の水平対向壁には、ロッキングピース１３の先端部を受け入れる切欠状の開口が形成されている。また、水平対向壁に直交する垂直壁の内面には、ラッチバネ２８用のバネ端支持部が突出形成されている。
【００２０】
次に、反転ラッチ１２は、その後端部がラッチ枠２７内に収まるようにフロント２６のラッチ用開口に配設されている。ところで、反転式のラッチの構造に関しては、例えば特開平８−１００５５９号公報、特許公開平９−３２５２３１号公報、特許公開平１０−３１１１７３号公報、特開平１１−１１２２０７号公報、特許公開２００３−７４２４５号公報等に記載されているように、当業者にとって周知事項である。したがって、反転ラッチ１２の機能については簡単に説明する。反転ラッチ１２は、開き戸３を開くと、ラッチ用受け具１４の係合穴の縁部に摺接するので、ラッチバネ２８のバネ力に抗して反転かつ後退動する。つまり、反転ラッチ１２とラッチ受け２９はラッチバネ２８で押し付けられた状態で組み付けられているものの、反転ラッチ１２は相対的な回動（ラッチ受けに対する反転ラッチの反転）は許容されている。したがって、操作片１５を操作しながら開き戸３を手前へと開いた場合、反転ラッチ１２はラッチバネ２８のバネ力により、当初の位置へと戻る。
【００２１】
次に、ロッキングピース１３の構成も周知事項なので、簡単に説明する。ラッチ枠２７を基準にすると、該ラッチ枠２７の垂直壁付近には、左右一対の固定枢軸３０に軸支され、かつ一つの可動連結軸３１を介して、鋏揺動可能に連結された左右一対のロッキングピース（ラッチ係止片）１３が配設されている。そして、その親指状の先端部が、ラッチ枠２７の上下の水平壁の各開口を介して反転ラッチ１２の係合受け部に係合している。本実施例では、一方（下側）のロッキングピース１３には、作動腕１７の先端部に押し付けられる垂直状態の受け腕１３ａを有している。
【００２２】
上記構成に於いて、ロッキングピース１３は、開き戸３の閉扉時のみならず、開扉時においても、その先端部が反転ラッチ１２の係合受け部に係合していることから、操作片１５をプル操作しない限り、常に反転ラッチ１２を拘束している。なお、ロッキングピース１３は、例えば一つの固定枢軸３０に巻装されたロック用バネ３２のバネ力により、常にロック方向に付勢されている。
【００２３】
（４）図６乃至図１１−要部の部材
図６は操作片、作動腕、支持部材等の要部の操作する者の視点から見た説明図、図７は図６の矢印Ｂ方向から見た一部切欠の概略説明図、図８は操作片、作動腕、支持部材を構成する第１支持片、支軸、可動軸等の分解斜視図、図９は図８に於ける作動腕と、該作動腕の上端部側の第１支持片と、作動腕等を組立てた状態の概略斜視図、図１０は上方の第１支持片が支持部材を構成する支持箱の前面板に固定された状態の斜視図、図１１は支持部材を構成する支持箱、該支持箱の前面板に固定された操作片用の受け板（仮想線）等の斜視図である。
【００２４】
図６乃至図１１を参照にして、本実施例の主要部或は要部の部材を説明する。まず、図６及び図７は、ユニット化された主要部或は要部の部材を示している。本実施例の構成部材は、左右の垂直固定部材に開き戸３を取付ける施工現場、開き戸３の自由端部３ａに取付ける場所等に於いて、図５で示すように、錠箱１１のフロント２６に複数本の棒状固着具３４を介して簡単に取り付けるために「ユニット化」されている。
【００２５】
そこで、図６を参照にして、ユニット化されている各部材を簡単に説明する。符号１６は、前述したように、長尺状作動腕１７用の支持部材で、本実施例では、前面開口の箱本体３５ａと、前記前面開口を閉じる前面板３５ｂとから成る支持箱３５と、この支持箱３５の前記前面板３５ｂの上端部と下端部に所定間隔を有して固定された上下一対の第１支持片２１、２１とから構成され、前記上方の第１支持片２１に作動腕１７が取付けられている。そして、実施例では、さらに前記前面板に３５ｂに垂直方向の一端部が切欠された操作片用のケース枠状の受け板３６が適宜に固定されている。したがって、ユニット化されている各部材には、前述した支軸２２、可動軸２３、可動軸用の付勢バネ２４及び前記上下の第１支持片２１、２１の間に前記支軸２２を介して前後方向に移動自在に設けられた操作片１５も含まれている。
【００２６】
次に、図８乃至図１１は、各部材の具体的構成を示す。まず、図８に於いて、上下の第１支持片２１、２１、支軸２２、可動軸２３等は同一なので、ここでは上方の各部材の構成を説明し、下方の各部材には便宜上同一の符号を付す。
【００２７】
第１支持片２１は、端面コ字形状に形成され、その上下の水平対向壁には、支軸用の支持孔４１と、可動軸用の案内長孔４２がそれぞれ形成されている。また、前記水平対向壁の一端部を連結する垂直壁には、作動腕１７が貫通する案内開口（窓）４３が形成されている。そして、垂直壁の前記案内開口４３の左右の部位には、小固着具４４用の貫通小孔４５が形成されている。
【００２８】
図１０で示すように、第１支持片２１は前記小固着具４４を介して支持箱３５の前面板３５ｂの上端部に固定される。ここで、前記支持箱３５の構成について、図１１を参照にして付言すると、支持箱３５は、フロント２６の可動腕用開口２５の水平ライン上に存在する左右一対の窓４６、左右一対の棒状固着具３４用の貫通孔４７を有している。
【００２９】
作動腕１７は、基端部１７ａが端面コ字形状に形成され、その連結壁から延びる長尺状の押腕部１７ｂは、前述した第１支持片２１の案内開口（窓）４３、支持箱３５の左右一対の窓４６及びフロント２６の開口２５を貫通してロッキングピース１３に接触可能な所まで入り込む。
【００３０】
垂直の可動軸２３は、第１支持片２１の案内長孔４２及び作動腕１７の基端部１７ａの貫通状の軸孔４８を貫通して操作片１５の中央部の取付け穴４９に差込まれる。また、支軸２２は第１支持片２１の支持孔４１と操作片１５の垂直板状基端部１５ｂの支持孔５０に差し込まれる。そして、作動片用の付勢バネ２４は、第１支持片２１の内部に位置するように前記可動軸２３に巻装される。このように、各部材は一つにユニット化され、例えば施工現場で複数本の棒状固着具３４を介して錠箱１１のフロント２６に一体的に取り付けられ、しかも、これらの各部材は開き戸３の自由端部（縦框に相当する端部）３ａに内装される。
【００３１】
上記構成に於いて、開き戸３の閉戸時、ラッチ用受け具１４に係入動作した反転ラッチ１２はロッキングピース１３でロックされ、一方、操作片１５をプル操作すると、前記ロッキングピース１３のロック状態は操作片１５と共働する作動腕１７の水平方向の位置変位により解除される。
【実施例】
【００３２】
発明の実施の形態で示した実施例に於いて、一つにユニット化された各部材は、例えば施工現場での錠箱１１に対する取り付け作業の効率化を図るために、複数本の棒状固着具３４を介して錠箱１１のフロント２６に取り付けられる。そこで、支持部材１６は、望ましくは、支持箱３５と、この支持箱３５の上端部と下端部に所定間隔を有して固定された上下一対の第１支持片２１、２１とから構成されている。しかし、本発明の所期の目的は、「保管・管理時、積載時、配送時、運搬時、施工後の使用時等に於いて、操作部材が邪魔にならないようにすること」、「意匠上、一般の需要者に、開き戸を見た目がスッキリするようなフラット感を与えること」及び「操作性が良いこと」なので、支持部材１６の支持箱３５は、必ずしも必要な要件ではない。したがって、支持箱３５を用いない場合には、支持部材１６の第１支持片が直接錠箱１１のフロント２６に取り付けられるから、このような場合には、前記錠箱１１は開き戸３の自由端部に内装される。
【００３３】
なお、本発明の特定要件ではないので、特に図示しないが、ロッキングピース１３のロック状態は、開き戸３の内壁面に設けた内側操作部材乃至該内側操作部材に設けた作動片を介して解除することができる（例えば特許文献１、特開２００８−５０８６４の図１を参照）。
【００３４】
また、操作片１５は、望ましくは開き戸の自由端部或は自由端部寄りの部位にその全部が内装されるが、もちろん、開き戸３の横から操作片１５をプル操作することができれば良いから、操作片１５の操作端部の一部が開き戸３の自由端面から見えていても良い（一部露出状態可）。
【００３５】
次に、この実施例の欄を利用して、上述したラッチのロック状態解除装置Ｘを主要部とする建具Ｙ（第２実施例）を説明する。図１４乃至図１６は建具Ｙの一例を示す各概略説明図である。この建具Ｙは、（ａ）第２実施例の左右の垂直固定部材１，２が、左右で一組のたて枠である点、（ｂ）左右で一組のたて枠１，２には、横材５５が固定される或いは固定されている点、（ｃ）開き戸３の枢軸部ａを構成する蝶番１０の納まりが相違する点である。なお、前記横材５５は、建具Ｙの特定要件ではなく、望ましくは、左右で一組のたて枠１，２の上端部と下端部に、図面で示すように下枠５５ａと上枠５５ｂを一体的に固定し或いは固定することができる。また、開き戸３の枢軸部ａとは、蝶番１０と、この蝶番の一方の取付け板１０ａが固着される開き戸３の内端面と、蝶番の他方の取付け板１０ｂが固着される左右いずれかのたて枠１，２の前壁１ａ、２ｂとから成る。
【００３６】
したがって、特定発明（第１実施例）の主要部を含む建具Ｙは、左右で一組のたて枠１，２と、これらのたて枠の前壁１ａ、２ａを基準として左右いずれかのたて枠１，２の前壁１ａ、２ａの外側（本実施例では右側のたて枠２の前壁２ａ）に開閉自在に取付けられる或いは取付けられた開き戸３と、この開き戸の枢軸部９とは反対側の開き戸の自由端部３ａの内側に位置付けられる前記左右いずれかのたて枠の前壁（本実施例では左側のたて枠１の前壁１ｂ）に突設され、かつ開き戸３の自由端部３ａ或は自由端部寄りの部位に内装の錠箱１１の反転ラッチ１２と係脱するラッチ用受け具１４と、前記開き戸３の自由端部３ａに支持部材１６を介して内装され、かつ支軸２２を介して操作部１５ｂが前後方向に移動する操作片１５と、この操作片に可動軸２３を介して該操作片に共働するように設けられ、かつ前記錠箱１１の反転ラッチ用のロッキングピース１３のロック状態を解除する作動腕１７とから成り、前記開き戸３の閉戸時、前記ラッチ用受け具１４に係入動作した前記反転ラッチ１２は前記ロッキングピース１３でロックされ、一方、前記操作片１５をプル操作すると、前記ロッキングピース１３のロック状態は、該ロッキングピースに設けた受け腕１３ａと当接する前記作動腕１７の水平方向の位置変位により解除される。そして、前記左右で一組のたて枠１，２の上端部と下端部には、直接又は間接的に下枠５５ａと上枠５５ｂを一体的に固定し或いは固定することができる。
【産業上の利用可能性】
【００３７】
本発明は、主に錠前や建具の業界で利用される。
【図面の簡単な説明】
【００３８】
図１乃至図１３は本発明の最良の実施例（ラッチのロック状態解除装置Ｘ）を示す各説明図。図１４乃至図１６は本発明の最良の実施例（特定発明の主要部を含む建具Ｙ）を示す各説明図。
【図１】発明の実施の環境を示す概略説明図。
【図２】操作片をプル操作して、ロッキングピースのロック状態を解除したまま開き戸を開いた状態の概略説明図。
【図３】平面視から操作片と作動腕とロッキングピースの関係を示す概略説明図（プル操作前）。
【図４】平面視から操作片と作動腕とロッキングピースの関係を示す概略説明図（プル操作時）。
【図５】本発明の主要部Ｘの概略説明図。
【図６】要部の正面視からの概略説明図。
【図７】図６の矢印Ｂ方向から見た一部切欠の概略説明図。
【図８】図８は要部の分解斜視図。
【図９】図８に於ける作動腕と、上端部側の第１支持片と、作動腕等を組立てた状態の概略斜視図。
【図１０】上方の第１支持片が支持部材を構成する支持箱の前面板に固定された状態の斜視図。
【図１１】支持部材を構成する支持箱、該支持箱の前面板に固定された操作片用の受け板（仮想線）等の斜視図。
【図１２】反転ラッチがロッキングピースでロックされている状態の説明図。
【図１３】図１１に於いて、ロックが解除された状態の説明図。
【図１４】上枠を省略した建具Ｙの概略説明図。
【図１５】下枠を省略した建具Ｙの概略説明図。
【図１６】建具Ｙの縦断面概略説明図。
【符号の説明】
【００３９】
Ｘ…ラッチのロック状態解除装置、Ｙ…特定発明の主要部を含む建具、1…一方の垂直固定部材（例えば左側のたて枠）、２…他方の垂直固定部材（例えば右側のたて枠）、１ａ，２ａ…垂直の前壁、１ｂ、２ｂ…垂直の対向内壁、１ｃ…垂直外壁、３…開き戸、３ａ…自由端部、４…扉ブラケット、５…棒状手摺り、６…錠片受け具、７…ロック棒、７ａ…摘み部、８…閂錠、９…枢軸部、１０…蝶番、１１…錠箱、１２…反転ラッチ、１３…ロッキングピース、１３ａ…受け腕、１４…ラッチ用受け具、１５…操作片、１６…支持部材、１７…作動腕、１８…挿入穴、２１…第１支持片、２２…支軸、２３…可動軸、２４…可動軸用付勢バネ、２５…作動腕用開口、２６…フロント、２７…ラッチ枠、２８…ラッチバネ、２９…ラッチ受け、３０…固定枢軸、３１…可動連結軸、３２…ロック用バネ、３３…、３４…棒状固着具、３５…支持箱、３５ａ…箱本体、３５ｂ…前面板、３６…操作片用受け板、４１…支軸用の支持孔、４２…可動軸用の案内長孔、４３…案内開口（窓）、４５…小固着具４４用貫通小孔、４６…窓、４７…棒状固着具用貫通孔、４９…取付け穴、５０…支持穴、５５…横材、５５ａ…下枠、５５ｂ…上枠。
【図１】
2010084504.tif 000003
【図２】
2010084504.tif 000004
【図３】
2010084504.tif 000005
【図４】
2010084504.tif 000006
【図５】
2010084504.tif 000007
【図６】
2010084504.tif 000008
【図７】
2010084504.tif 000009
【図８】
2010084504.tif 000010
【図９】
2010084504.tif 000011
【図１０】
2010084504.tif 000012
【図１１】
2010084504.tif 000013
【図１２】
2010084504.tif 000014
【図１３】
2010084504.tif 000015
【図１４】
2010084504.tif 000016
【図１５】
2010084504.tif 000017
【図１６】
2010084504.tif 000018
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
左右の垂直固定部材の前壁を基準として、該前壁の外側に開閉自在に配設された開き戸と、前記一方の固定部材の前壁に突設され、かつ開き戸の自由端部或は自由端部寄りの部位に内装の錠箱の反転ラッチと係脱するラッチ用受け具と、前記開き戸の自由端部に支持部材を介して内装され、かつ支軸を介して操作部が前後方向に移動する操作片と、この操作片に可動軸を介して該操作片に共働するように設けられ、かつ前記錠箱の反転ラッチ用のロッキングピースのロック状態を解除する作動腕とから成り、前記開き戸の閉戸時、前記ラッチ用受け具に係入動作した前記反転ラッチは前記ロッキングピースでロックされ、一方、前記操作片をプル操作すると、前記ロッキングピースのロック状態は、該ロッキングピースに設けた受け腕と当接する前記作動腕の水平方向の位置変位により解除されることを特徴とする開き戸用ラッチのロック状態解除装置。
【請求項２】
請求項１に於いて、支持部材は、固着具を介して錠箱のフロントに取り付けられる支持箱と、この支持箱の上端部と下端部に所定間隔を有して固定された上下一対の第１支持片とから構成され、作動腕は前記上下一対の第１支持片のいずれか一方に支軸を介して取付けられ、また、前記操作片は前記上下の第１支持片の間に前記支軸を介して軸支され、いわゆるユニット化されていることを特徴とする開き戸用ラッチのロック状態解除装置。
【請求項３】
請求項１に於いて、ラッチ用受け具は、開き戸の内壁面に形成した挿入穴を介して、該開き戸の内部空間に入り込むことを特徴とする開き戸用ラッチのロック状態解除装置。
【請求項４】
請求項１に於いて、開き戸の内壁面には、一方の固定部材の垂直の対向内壁に設けた錠片受け具と係脱するロック棒を有する閂錠が設けられていることを特徴とする開き戸用ラッチのロック状態解除装置。
【請求項５】
左右で一組のたて枠と、これらのたて枠の前壁を基準として左右いずれかのたて枠の前壁の外側に開閉自在に取付けられる或いは取付けられた開き戸と、この開き戸の枢軸部とは反対側の開き戸の自由端部の内側に位置付けられる前記左右いずれかのたて枠の前壁に突設され、かつ開き戸の自由端部或は自由端部寄りの部位に内装の錠箱の反転ラッチと係脱するラッチ用受け具と、前記開き戸の自由端部に支持部材を介して内装され、かつ支軸を介して操作部が前後方向に移動する操作片と、この操作片に可動軸を介して該操作片に共働するように設けられ、かつ前記錠箱の反転ラッチ用のロッキングピースのロック状態を解除する作動腕とから成り、前記開き戸の閉戸時、前記ラッチ用受け具に係入動作した前記反転ラッチは前記ロッキングピースでロックされ、一方、前記操作片をプル操作すると、前記ロッキングピースのロック状態は、該ロッキングピースに設けた受け腕と当接する前記作動腕の水平方向の位置変位により解除されることを特徴とする建具。
【請求項６】
請求項５に於いて、左右で一組のたて枠には、横材が固定される或いは固定されていることを特徴とする建具。
【手続補正２】
【補正対象書類名】明細書
【補正対象項目名】全文
【補正方法】変更
【補正の内容】
【発明の詳細な説明】
【技術分野】
【０００１】
本発明は、建具としての開き戸用のラッチのロック状態を解除する装置及び建具に関する。
【背景技術】
【０００２】
特許文献１には、錠箱に反転ラッチを係止する上下一組のロッキングピースが内装され、該ロッキングピースは、扉の内壁面又は外壁面に突出するように設けたプッシュ・プル式の操作部材の操作力により、反転ラッチの係止を解く方向に回転する事項が記載・示唆されている。
【０００３】
また、特許文献２には反転ラッチが記載されている。さらに、特許文献３には、開き戸の内壁面に設けられたロック棒と、戸枠の縦枠に設けた錠片受け具とから成る閂錠が記載されている。これらの特許文献１乃至特許文献３には、保管・管理時、積載時、配送時、運搬時等に於いて、操作部材が邪魔にならないようにすることは記載されていない。また、操作部材を開き戸の自由端部に内装することも記載されていない。
【特許文献１】特開２００８−５０８６４の図１
【特許文献２】特開平８−１００５５９号公報
【特許文献３】特開２００７−９２３４４号公報
【発明の開示】
【発明が解決しようとする課題】
【０００４】
本発明の第１の目的は、保管・管理時、積載時、配送時、運搬時、施工後の使用時等に於いて、操作部材が邪魔にならないようにすることである。第２の目的は、操作性が良いことである。第３の目的は、開き戸の錠前に対して、簡単に取付けることができることである。第４の目的は、建物の入り口に容易に施工（取付）できる建具を提供することである。その他、意匠上、一般の需要者に、開き戸を見た目がスッキリするようなフラット感を与えることである。
【課題を解決するための手段】
【０００５】
本発明の開き戸用ラッチのロック状態解除装置は、人の出入り口を形成する左右の垂直固定部材１、２と、これらの垂直固定部材の前壁１ａ、２ａを基準として、該前壁の外側に開閉自在に配設された開き戸３と、前記一方の固定部材の前壁に突設され、かつ開き戸の自由端部３ａ或は自由端部寄りの部位に内装の錠箱１１の反転ラッチ１２と係脱するラッチ用受け具１４と、前記開き戸の自由端部に支持部材１６を介して内装され、かつ支軸２２を介して操作部１５ｂが前後方向に移動する操作片１５と、この操作片に可動軸２３を介して該操作片に共働するように設けられ、かつ前記錠箱の反転ラッチ用ロッキングピースのロック状態を解除する作動腕とから成り、前記開き戸の閉戸時、前記ラッチ用受け具に係入動作した前記反転ラッチは前記ロッキングピース１３でロックされ、一方、前記操作片１５をプル操作すると、前記ロッキングピース１３のロック状態は、該ロッキングピースに設けた受け腕１３ａと当接する前記作動腕１７の水平方向の位置変位により解除されることを特徴とすることを特徴とする。また、本発明は該開き戸用ラッチのロック状態解除装置Ｘを主要部とする建具Ｙである。なお、本発明の建具Ｙは、横材を含むセットものであっても良い。
【発明の効果】
【０００６】
（ａ）操作片が開き戸の自由端部に支持部材を介して内装されているので、開き戸の外壁面から突出しない。したがって、突起物が存在しないので、保管・管理時、積載時、配送時、運搬時、施工後の使用時等に於いて、操作部材が邪魔にならない。
（ｂ）反転ラッチを用いると共に、操作片をプル操作するので、操作性が良い。
（ｃ）請求項２に記載の発明は、例えば施工現場での錠箱に対する取り付け作業の効率化を図ることができる。
（ｄ）請求項３に記載の発明は、ラッチ用受け具が外から全く見えない。
（ｅ）請求項４に記載の発明は、防犯と共に、バリヤーフリーの効果を得ることができる。
（ｆ）請求項５に記載の発明は、建物の入り口に容易に施工（取付）できる建具を提供することができる。
（ｇ）意匠上、一般の需要者に、開き戸を見た目がスッキリするようなフラット感を与えることができる。
【発明を実施するための最良の形態】
【０００７】
以下、図１乃至図１３に示す本発明を実施するための最良の形態（第１実施例）により説明する。
【０００８】
（１）発明の実施の環境
図１は第１実施例の発明の実施の環境を示す概略説明図で、ラッチした状態である。一方、図２は操作片１５を操作する者の手前側にプル操作して、後述する作動腕１７の位置変位により、錠箱１１内のロッキングピース１３のロック状態を解除したまま開き戸３を開いた状態である。図１及び図２に於いて、１，２は人の出入り口を形成する左右の垂直固定部材である。左右の垂直固定部材１，２は、例えば勝手口に設けられた開き戸用の壁、たて枠、縦材等である。ここでは図示の左側を一方の垂直固定部材１、右側を他方の垂直固定部材２とする。
【０００９】
これらの垂直固定部材１，２は、それぞれ垂直の前壁１ａ，２ａ、垂直の対向内壁１ｂ、２ｂ等を有している。そして、前壁１ａ，２ａを基準として、該前壁１ａ，２ａの外側に開き戸３が開閉自在に配設されている。図面右側が開き戸３の基端部であり、該基端部は不番の蝶番を介して前記他方の垂直固定部材２に連結されている。したがって、図面左側が開き戸３の自由端部３ａである。本実施例の開き戸３は、その自由端部３ａが一方の垂直固定部材１の垂直対向内壁１ｂの垂直平面上を越え、かつ垂直固定部材１の前壁１ａの前方へと延びる所定長の横幅を有している。実施例では、前記自由端部３ａは、図面左側で示すように、一方の垂直固定部材１の垂直対向内壁１ｂの反対側の垂直外壁１ｃを越えている。
【００１０】
必ずしも本発明の限定的要件ではないが、開き戸３は、その内壁面に所定間隔を有して固定された左右一対の扉ブラケット４と、この扉ブラケット４に水平状態に架設された棒状手摺り５と、この棒状手摺り５の一端部に案内され、かつ一方の垂直固定部材１の垂直対向内壁１ｂの横向き凹所に内設された錠片受け具６と係脱するロック棒７とから成る閂錠８が設けられており、前記ロック棒７は、図１の閉扉時に於いて、棒状手摺り５の外周から突出する摘み部７ａを操作すると、図１で示すように矢印方向（係入方向）に伸長して錠片受け具６と係合する。
【００１１】
さて、本発明の主要部（開き戸用ラッチのロック状態解除装置）Ｘについて説明すると、図５で示すように、１１は錠箱で、この錠箱１１は開き戸３の自由端部或は自由端部寄りの部位（本実施例）に内装され、後述する反転ラッチ１２、反転ラッチ用のロッキングピース１３、これらの部材１２，１３をそれぞれ復帰方向へと付勢するバネ等を備えている。
【００１２】
また、１４は錠箱１１の反転ラッチ１２と係脱するラッチ用受け具で、このラッチ用受け具１４は、一方の固定部材１の前壁１ａに不番の固着具を介して固定的に突設されている。また、１５は開き戸３の自由端部３ａの中に支持部材１６を介して設けられ、かつ支軸を介して操作部が前後方向に移動する操作片で、本実施例では、発明の目的を達成するために、反転ラッチ１２と共に、プッシュ・プル式の操作部材を採用している。１７は操作片１５に可動軸を介して該操作片１５に共働するように設けられ、かつ錠箱１１のロッキングピース１３のロック状態を解除する作動腕で、この作動腕１７は付勢バネで復帰方向に付勢されていると共に、前記支持部材１６を構成する一つの第１支持片の案内開口を貫通して、その挿入先端部がロッキングピース１３を押圧できる位置まで延びている。
【００１３】
上記構成に於いて、開き戸３の閉戸時、ラッチ用受け具１４の突出部分は、例えば開き戸３の内壁に形成した挿入穴１８を介して、該開き戸３の内部空間に入り込むと共に、該ラッチ用受け具１４にラッチバネのバネ力により係入動作した反転ラッチ１２は、復帰バネのバネ力により初期位置へと戻ったロッキングピース１３でロックされ、一方、操作片１５をプル操作すると、前記ロッキングピース１３のロック状態は操作片１５と共働する作動腕１７の水平方向への位置変位により解除される。以下、本発明の特定要件について順次説明する。
【００１４】
（２）図３、図４…開き戸用ラッチのロック状態解除装置の要部
図３及び図４は、共に平面視から操作片１５と作動腕１７とロッキングピース１３の関係を示す概略説明図である。図３は操作片１５をプル操作する前の状態で、この時、反転ラッチ１２は、ロッキングピース１３の先端部で係止される（図１２参照）。一方、図４は操作片１５をプル操作した時の状態で、この時、ロッキングピース１３は作動腕１７の位置変位により、作動腕１７の先端部で押圧されるので、係止解除の方向へと所定量回転する（図１３参照）。
【００１５】
そこで、図３及び図４を参照にして、本実施例の主な要部を説明する。１５は端面Ｌ型形状の操作片で、この操作片１５の垂直板状基端部１５ａは後述する支軸で軸支されている。操作片１５は、その垂直板状基端部１５ａに角度方向（例えば９０度方向）に連設する垂直板状操作部１５ｂを有し、垂直板状操作部１５ｂの内面が指でプル操作される操作面と成る。
【００１６】
２１は、図８で示すように、操作片用の上下一対の第１支持片で、この第１支持片２１は、例えば図９で示すように、操作片１５の上端面側と下端面側にそれぞれ固定的に配設される。２２は操作片１５の垂直板状基端部１５ａを枢支する垂直の支軸で、この支軸２２は、端面或は断面コ字形状の前記第１支持片２１及び操作片１５の垂直板状基端部１５ａにそれぞれ形成した支持穴に差し込まれる。
【００１７】
一方、２３は第１支持片２１の案内長孔及び作動腕１７の基端部の貫通孔を貫通して操作片１５の中央部（垂直板状基端部と垂直板状操作部の交わる部位）の取付け穴に差込まれた垂直の可動軸で、この可動軸２３は、図４で示すように、操作する者が操作片１５の垂直板状操作部１５ｂの操作面に指を掛け、矢印Ａ方向にプル操作すると、操作片１５が支軸２２を支点に反時計方向へと回転するので、第１支持片２１の案内長孔に案内されながら錠箱１１側に水平移動する。
【００１８】
従って、可動軸２３を介して操作片１５の上端部側（本実施例）或は下端部側に配設された長尺状の作動腕１７は、プッシュ・プル式の操作片１５と共働しながら、かつ作動片用の付勢バネ２４のバネ力に抗してロッキングピース１３の方向へ水平移動する。付言すると、支持部材は、例えば図５で示すように、開き戸３の自由端部３ａに直接又は間接的（本実施例）に固定された上下の第１支持片２１、２１を有し、長尺状の作動腕１７は、これら上下の第１支持片の内、一方の第１支持片２１に形成した案内長孔及び該作動腕１７の基端部を貫通すると共に、操作片１５の中央部に取付けられた垂直の可動軸２３を介して、かつ可動軸用の付勢バネ２４のバネ力に抗してロッキングピース１３の方向へ位置変位する。前記可動軸用付勢バネ２４は、例えば支軸２２に巻装され、その一端部２４ａは第１支持片２１の内壁面に圧接し、一方、他端部２４ｂは可動軸２３に圧接している。
【００１９】
（３）図５、図１２、図１３−錠箱側
図５、図１２、図１３を参照にして、錠箱１１と、該錠箱１１に設けられた主な部材を説明する。図５は、本発明の主要部Ｘの概略説明図、図１２は反転ラッチ１２がロッキングピース１３にロックされている仮施錠状態、図１３は作動腕の水平方向への位置変位により、ロッキングピース１３のロックが解かれた状態である。さて、反転ラッチ１２、ロッキングピース１３等の錠箱側の構成部材は、公知乃至周知事項なので、ここでは、図１２を参照にして簡単に説明する。錠箱１１の作動腕用の開口２５を有するフロント２６の内側には、ラッチ枠２７が固定されている。図１２を基準にすると、ラッチ枠２７の水平対向壁には、ロッキングピース１３の先端部を受け入れる切欠状の開口が形成されている。また、水平対向壁に直交する垂直壁の内面には、ラッチバネ２８用のバネ端支持部が突出形成されている。
【００２０】
次に、反転ラッチ１２は、その後端部がラッチ枠２７内に収まるようにフロント２６のラッチ用開口に配設されている。ところで、反転式のラッチの構造に関しては、例えば特開平８−１００５５９号公報、特許公開平９−３２５２３１号公報、特許公開平１０−３１１１７３号公報、特開平１１−１１２２０７号公報、特許公開２００３−７４２４５号公報等に記載されているように、当業者にとって周知事項である。したがって、反転ラッチ１２の機能については簡単に説明する。反転ラッチ１２は、開き戸３を開くと、ラッチ用受け具１４の係合穴の縁部に摺接するので、ラッチバネ２８のバネ力に抗して反転かつ後退動する。つまり、反転ラッチ１２とラッチ受け２９はラッチバネ２８で押し付けられた状態で組み付けられているものの、反転ラッチ１２は相対的な回動（ラッチ受けに対する反転ラッチの反転）は許容されている。したがって、操作片１５を操作しながら開き戸３を手前へと開いた場合、反転ラッチ１２はラッチバネ２８のバネ力により、当初の位置へと戻る。
【００２１】
次に、ロッキングピース１３の構成も周知事項なので、簡単に説明する。ラッチ枠２７を基準にすると、該ラッチ枠２７の垂直壁付近には、左右一対の固定枢軸３０に軸支され、かつ一つの可動連結軸３１を介して、鋏揺動可能に連結された左右一対のロッキングピース（ラッチ係止片）１３が配設されている。そして、その親指状の先端部が、ラッチ枠２７の上下の水平壁の各開口を介して反転ラッチ１２の係合受け部に係合している。本実施例では、一方（下側）のロッキングピース１３には、作動腕１７の先端部に押し付けられる垂直状態の受け腕１３ａを有している。
【００２２】
上記構成に於いて、ロッキングピース１３は、開き戸３の閉扉時のみならず、開扉時においても、その先端部が反転ラッチ１２の係合受け部に係合していることから、操作片１５をプル操作しない限り、常に反転ラッチ１２を拘束している。なお、ロッキングピース１３は、例えば一つの固定枢軸３０に巻装されたロック用バネ３２のバネ力により、常にロック方向に付勢されている。
【００２３】
（４）図６乃至図１１−要部の部材
図６は操作片、作動腕、支持部材等の要部の操作する者の視点から見た説明図、図７は図６の矢印Ｂ方向から見た一部切欠の概略説明図、図８は操作片、作動腕、支持部材を構成する第１支持片、支軸、可動軸等の分解斜視図、図９は図８に於ける作動腕と、該作動腕の上端部側の第１支持片と、作動腕等を組立てた状態の概略斜視図、図１０は上方の第１支持片が支持部材を構成する支持箱の前面板に固定された状態の斜視図、図１１は支持部材を構成する支持箱、該支持箱の前面板に固定された操作片用の受け板（仮想線）等の斜視図である。
【００２４】
図６乃至図１１を参照にして、本実施例の主要部或は要部の部材を説明する。まず、図６及び図７は、ユニット化された主要部或は要部の部材を示している。本実施例の構成部材は、左右の垂直固定部材に開き戸３を取付ける施工現場、開き戸３の自由端部３ａに取付ける場所等に於いて、図５で示すように、錠箱１１のフロント２６に複数本の棒状固着具３４を介して簡単に取り付けるために「ユニット化」されている。
【００２５】
そこで、図６を参照にして、ユニット化されている各部材を簡単に説明する。符号１６は、前述したように、長尺状作動腕１７用の支持部材で、本実施例では、前面開口の箱本体３５ａと、前記前面開口を閉じる前面板３５ｂとから成る支持箱３５と、この支持箱３５の前記前面板３５ｂの上端部と下端部に所定間隔を有して固定された上下一対の第１支持片２１、２１とから構成され、前記上方の第１支持片２１に作動腕１７が取付けられている。そして、実施例では、さらに前記前面板に３５ｂに垂直方向の一端部が切欠された操作片用のケース枠状の受け板３６が適宜に固定されている。したがって、ユニット化されている各部材には、前述した支軸２２、可動軸２３、可動軸用の付勢バネ２４及び前記上下の第１支持片２１、２１の間に前記支軸２２を介して前後方向に移動自在に設けられた操作片１５も含まれている。
【００２６】
次に、図８乃至図１１は、各部材の具体的構成を示す。まず、図８に於いて、上下の第１支持片２１、２１、支軸２２、可動軸２３等は同一なので、ここでは上方の各部材の構成を説明し、下方の各部材には便宜上同一の符号を付す。
【００２７】
第１支持片２１は、端面コ字形状に形成され、その上下の水平対向壁には、支軸用の支持孔４１と、可動軸用の案内長孔４２がそれぞれ形成されている。また、前記水平対向壁の一端部を連結する垂直壁には、作動腕１７が貫通する案内開口（窓）４３が形成されている。そして、垂直壁の前記案内開口４３の左右の部位には、小固着具４４用の貫通小孔４５が形成されている。
【００２８】
図１０で示すように、第１支持片２１は前記小固着具４４を介して支持箱３５の前面板３５ｂの上端部に固定される。ここで、前記支持箱３５の構成について、図１１を参照にして付言すると、支持箱３５は、フロント２６の可動腕用開口２５の水平ライン上に存在する左右一対の窓４６、左右一対の棒状固着具３４用の貫通孔４７を有している。
【００２９】
作動腕１７は、基端部１７ａが端面コ字形状に形成され、その連結壁から延びる長尺状の押腕部１７ｂは、前述した第１支持片２１の案内開口（窓）４３、支持箱３５の左右一対の窓４６及びフロント２６の開口２５を貫通してロッキングピース１３に接触可能な所まで入り込む。
【００３０】
垂直の可動軸２３は、第１支持片２１の案内長孔４２及び作動腕１７の基端部１７ａの貫通状の軸孔４８を貫通して操作片１５の中央部の取付け穴４９に差込まれる。また、支軸２２は第１支持片２１の支持孔４１と操作片１５の垂直板状基端部１５ｂの支持孔５０に差し込まれる。そして、作動片用の付勢バネ２４は、第１支持片２１の内部に位置するように前記可動軸２３に巻装される。このように、各部材は一つにユニット化され、例えば施工現場で複数本の棒状固着具３４を介して錠箱１１のフロント２６に一体的に取り付けられ、しかも、これらの各部材は開き戸３の自由端部（縦框に相当する端部）３ａに内装される。
【００３１】
上記構成に於いて、開き戸３の閉戸時、ラッチ用受け具１４に係入動作した反転ラッチ１２はロッキングピース１３でロックされ、一方、操作片１５をプル操作すると、前記ロッキングピース１３のロック状態は操作片１５と共働する作動腕１７の水平方向の位置変位により解除される。
【実施例】
【００３２】
発明の実施の形態で示した実施例に於いて、一つにユニット化された各部材は、例えば施工現場での錠箱１１に対する取り付け作業の効率化を図るために、複数本の棒状固着具３４を介して錠箱１１のフロント２６に取り付けられる。そこで、支持部材１６は、望ましくは、支持箱３５と、この支持箱３５の上端部と下端部に所定間隔を有して固定された上下一対の第１支持片２１、２１とから構成されている。しかし、本発明の所期の目的は、「保管・管理時、積載時、配送時、運搬時、施工後の使用時等に於いて、操作部材が邪魔にならないようにすること」、「意匠上、一般の需要者に、開き戸を見た目がスッキリするようなフラット感を与えること」及び「操作性が良いこと」なので、支持部材１６の支持箱３５は、必ずしも必要な要件ではない。したがって、支持箱３５を用いない場合には、支持部材１６の第１支持片が直接錠箱１１のフロント２６に取り付けられるから、このような場合には、前記錠箱１１は開き戸３の自由端部に内装される。
【００３３】
なお、本発明の特定要件ではないので、特に図示しないが、ロッキングピース１３のロック状態は、開き戸３の内壁面に設けた内側操作部材乃至該内側操作部材に設けた作動片を介して解除することができる（例えば特許文献１、特開２００８−５０８６４の図１を参照）。
【００３４】
また、操作片１５は、望ましくは開き戸の自由端部或は自由端部寄りの部位にその全部が内装されるが、もちろん、開き戸３の横から操作片１５をプル操作することができれば良いから、操作片１５の操作端部の一部が開き戸３の自由端面から見えていても良い（一部露出状態可）。
【００３５】
次に、この実施例の欄を利用して、上述した開き戸用ラッチのロック状態解除装置Ｘを主要部とする建具Ｙ（第２実施例）を説明する。図１４乃至図１６は建具Ｙの一例を示す各概略説明図である。この建具Ｙは、（ａ）第２実施例の左右の垂直固定部材１，２が、左右で一組のたて枠である点、（ｂ）左右で一組のたて枠１，２には、横材５５が固定される或いは固定されている点、（ｃ）開き戸３の枢軸部ａを構成する蝶番１０の納まりが相違する点である。なお、前記横材５５は、建具Ｙの特定要件ではなく、望ましくは、左右で一組のたて枠１，２の上端部と下端部に、図面で示すように下枠５５ａと上枠５５ｂを一体的に固定し或いは固定することができる。また、開き戸３の枢軸部ａとは、蝶番１０と、この蝶番の一方の取付け板１０ａが固着される開き戸３の内端面と、蝶番の他方の取付け板１０ｂが固着される左右いずれかのたて枠１，２の前壁１ａ、２ｂとから成る。
【００３６】
したがって、特定発明（第１実施例）の主要部を含む建具Ｙは、左右で一組のたて枠１，２と、これらのたて枠の前壁１ａ、２ａを基準として左右いずれかのたて枠１，２の前壁１ａ、２ａの外側（本実施例では右側のたて枠２の前壁２ａ）に開閉自在に取付けられる或いは取付けられた開き戸３と、この開き戸の枢軸部９とは反対側の開き戸の自由端部３ａの内側に位置付けられる前記左右いずれかのたて枠の前壁（本実施例では左側のたて枠１の前壁１ｂ）に突設され、かつ開き戸３の自由端部３ａ或は自由端部寄りの部位に内装の錠箱１１の反転ラッチ１２と係脱するラッチ用受け具１４と、前記開き戸３の自由端部３ａに支持部材１６を介して内装され、かつ支軸２２を介して操作部１５ｂが前後方向に移動する操作片１５と、この操作片に可動軸２３を介して該操作片に共働するように設けられ、かつ前記錠箱１１の反転ラッチ用のロッキングピース１３のロック状態を解除する作動腕１７とから成り、前記開き戸３の閉戸時、前記ラッチ用受け具１４に係入動作した前記反転ラッチ１２は前記ロッキングピース１３でロックされ、一方、前記操作片１５をプル操作すると、前記ロッキングピース１３のロック状態は、該ロッキングピースに設けた受け腕１３ａと当接する前記作動腕１７の水平方向の位置変位により解除される。そして、前記左右で一組のたて枠１，２の上端部と下端部には、直接又は間接的に下枠５５ａと上枠５５ｂを一体的に固定し或いは固定することができる。
【産業上の利用可能性】
【００３７】
本発明は、主に錠前や建具の業界で利用される。
【図面の簡単な説明】
【００３８】
図１乃至図１３は本発明の最良の実施例（開き戸用ラッチのロック状態解除装置Ｘ）を示す各説明図。図１４乃至図１６は本発明の最良の実施例（特定発明の主要部を含む建具Ｙ）を示す各説明図。
【図１】発明の実施の環境を示す概略説明図。
【図２】操作片をプル操作して、ロッキングピースのロック状態を解除したまま開き戸を開いた状態の概略説明図。
【図３】平面視から操作片と作動腕とロッキングピースの関係を示す概略説明図（プル操作前）。
【図４】平面視から操作片と作動腕とロッキングピースの関係を示す概略説明図（プル操作時）。
【図５】本発明の主要部Ｘの概略説明図。
【図６】要部の正面視からの概略説明図。
【図７】図６の矢印Ｂ方向から見た一部切欠の概略説明図。
【図８】図８は要部の分解斜視図。
【図９】図８に於ける作動腕と、上端部側の第１支持片と、作動腕等を組立てた状態の概略斜視図。
【図１０】上方の第１支持片が支持部材を構成する支持箱の前面板に固定された状態の斜視図。
【図１１】支持部材を構成する支持箱、該支持箱の前面板に固定された操作片用の受け板（仮想線）等の斜視図。
【図１２】反転ラッチがロッキングピースでロックされている状態の説明図。
【図１３】図１１に於いて、ロックが解除された状態の説明図。
【図１４】上枠を省略した建具Ｙの概略説明図。
【図１５】下枠を省略した建具Ｙの概略説明図。
【図１６】建具Ｙの縦断面概略説明図。
【符号の説明】
【００３９】
Ｘ…開き戸用ラッチのロック状態解除装置、Ｙ…特定発明の主要部を含む建具、1…一方の垂直固定部材（例えば左側のたて枠）、２…他方の垂直固定部材（例えば右側のたて枠）、１ａ，２ａ…垂直の前壁、１ｂ、２ｂ…垂直の対向内壁、１ｃ…垂直外壁、３…開き戸、３ａ…自由端部、４…扉ブラケット、５…棒状手摺り、６…錠片受け具、７…ロック棒、７ａ…摘み部、８…閂錠、９…枢軸部、１０…蝶番、１１…錠箱、１２…反転ラッチ、１３…ロッキングピース、１３ａ…受け腕、１４…ラッチ用受け具、１５…操作片、１６…支持部材、１７…作動腕、１８…挿入穴、２１…第１支持片、２２…支軸、２３…可動軸、２４…可動軸用付勢バネ、２５…作動腕用開口、２６…フロント、２７…ラッチ枠、２８…ラッチバネ、２９…ラッチ受け、３０…固定枢軸、３１…可動連結軸、３２…ロック用バネ、３３…、３４…棒状固着具、３５…支持箱、３５ａ…箱本体、３５ｂ…前面板、３６…操作片用受け板、４１…支軸用の支持孔、４２…可動軸用の案内長孔、４３…案内開口（窓）、４５…小固着具４４用貫通小孔、４６…窓、４７…棒状固着具用貫通孔、４９…取付け穴、５０…支持穴、５５…横材、５５ａ…下枠、５５ｂ…上枠。